(57)【要約】【課題】  レーザー光の安全性を確保しつつ省電力化を実現することができる信号伝送装置を提供する。【解決手段】  電気−光変換回路３６Ａでは、ＴＭＤＳ信号によりレーザーダイオードドライバ１０６でレーザーダイオード２６Ａを制御する。レーザーダイオード２６Ａの点灯は、レーザー停止制御部１０２によって、ＴＭＤＳ信号検知部１００からの信号と受信モジュール１４からの受信状態信号（ＬＯＰ信号）により、発光を強制的に停止する。すなわち、ＴＭＤＳ信号を出力しかつＬＯＰ信号がローレベルの場合、光信号が受信モジュールに非到達であるため、直ちにレーザーダイオード２６Ａを停止する。ＬＯＰ信号がローレベルでＴＭＤＳ信号が非出力状態からＴＭＤＳ信号出力の開始状態へ移行の場合、ＬＯＰ信号を一時無視してレーザーダイオード２６Ａを発光させて、光信号によるＴＭＤＳ信号を出力可能とする。【選択図】        図５
2010246147.tif 000002
【特許請求の範囲】
【請求項１】
入力された電気信号に含まれる特定の信号を光信号に変換して送信先へ出力する電気−光変換手段と、
前記電気−光変換手段とは独立して設けられ前記特定の信号以外の電気信号を前記送信先と入出力する送信側電気信号入出力手段と、
前記入力された電気信号から前記特定の信号を検出する送信側検出手段と、
出力した前記光信号の到達状態を表す状態信号を、前記送信先から受け取る受取手段と、
リセット信号を入力するリセット入力手段を含み、前記送信側検出手段の検出結果と前記受取手段の状態信号とに基づいて、前記電気信号に前記特定の信号が含まれない場合及び前記光信号が到達しない場合の少なくとも一方の場合に光信号の出力を停止するように前記電気−光変換手段を制御し、前記光信号の出力を停止するように前記電気−光変換手段を制御しているときに前記リセット信号が入力された場合、前記光信号の出力停止を解除するように、前記電気−光変換手段を制御する制御手段と、
を有することを特徴とする信号伝送装置。
【請求項２】
前記特定の信号は、映像信号または音声信号であることを特徴とする請求項１に記載の信号伝送装置。
【請求項３】
前記送信側検出手段は、前記光信号を出力するために無信号状態から前記特定の信号を検出したときに、前記光信号の出力停止を解除する解除信号を前記制御手段へ出力することを特徴とする請求項１又は請求項２に記載の信号伝送装置。
【請求項４】
前記制御手段は、前記電気−光変換手段へ電力を供給するまたは遮断するスイッチ手段をさらに含み、前記入力された前記特定の信号を含む電気信号に、起動信号が含まれたときに前記電気−光変換手段へ電力を供給するように前記スイッチ手段を制御することを特徴とする請求項１〜請求項３の何れか１項に記載の信号伝送装置。
【請求項５】
前記制御手段は、前記スイッチ手段により前記電気−光変換手段へ電力を供給するときに、該電力供給を表す信号を前記制御信号に含めて前記送信先へ向けてさらに出力することを特徴とする請求項４に記載の信号伝送装置。
【請求項６】
前記制御手段は、前記スイッチ手段により前記電気−光変換手段へ電力を供給するときに、前記電気信号に前記特定の信号が含まれかつ前記光信号が到達した場合に、前記電力供給を表す信号を前記制御信号に含めて前記送信先へ向けて出力する電力制御手段を含むことを特徴とする請求項５に記載の信号伝送装置。
【請求項７】
前記電力制御手段は、前記光信号を出力するために無信号状態から前記特定の信号を検出した状態に移行したときに、前記電力供給を表す信号を前記制御信号に含めて前記受信先へ向けて出力することを含む請求項６に記載の信号伝送装置。
【請求項８】
前記受取手段は、未接続及び切断の少なくとも一方により前記状態信号が前記光信号の到達を表す状態信号以外であるときに、前記制御手段において光信号の出力を停止するための電圧レベルに状態信号を設定し出力することを特徴とする請求項１乃至請求項７の何れか１項に記載の信号伝送装置。
【請求項９】
前記送信側検出手段は、前記入力された電気信号の振幅値と、前記映像情報に対応する予め定めた振幅値とを比較し該比較結果に基づいて前記特定の信号を検出することを特徴とする請求項１乃至請求項８の何れか１項に記載の信号伝送装置。
【請求項１０】
前記送信側検出手段は、前記入力された電気信号に含まれる前記特定の信号からクロックを抽出する抽出手段を含み、前記抽出手段によりクロックが抽出されたときに前記特定の信号が検出されたとすることを特徴とする請求項１乃至請求項９の何れか１項に記載の信号伝送装置。
【請求項１１】
制御手段は、前記送信側検出手段において前記特定の信号が検出されると共に前記受取手段の状態信号が前記光信号の到達状態を表す状態信号以外のときに、光信号の出力について障害が発生したことを報知する報知手段を含むことを特徴とする請求項１乃至請求項１０の何れか１項に記載の信号伝送装置。
【請求項１２】
前記電気−光変換手段、前記送信側検出手段、及び前記制御手段は、前記特定の信号に含まれる個別信号に対応して複数から構成されることを特徴とする請求項１乃至請求項１０の何れか１項に記載の信号伝送装置。
【発明の詳細な説明】
【技術分野】
【０００１】
本発明は、信号伝送装置にかかり、特に、光信号を用いた信号伝送装置に関するものである。
【背景技術】
【０００２】
液晶パネルやプラズマディスプレイの高解像度化に伴い、ホストからの大容量映像信号をデジタル信号のまま伝送することが求められている。例えば業界団体であるＤＤＷＧ（Digital Display Working Group）が策定したＤＶＩ（Digital Visual Interface：デジタル映像伝送規格）は、ＴＭＤＳ（Transition Minimized Differential Signaling）と呼ばれる差動信号規格で１．６５Ｇｂｐｓという高速信号を伝送するものである。この伝送媒体として、一般にはディスプレイケーブルとして広く使われているシールド付きのメタルケーブルが用いられる。
【０００３】
図１１には、ホストコンピュータ８６とモニタ８８とをＤＶＩケーブル７１で接続し、ホストコンピュータ８６からの映像信号をモニタ８８で表示する装置構成の一例を示した。また、図１２には、ＤＶＩケーブル７１の構成図を示した。ＤＶＩケーブル７１におけるＴＭＤＳ信号は４ビットの差動信号対であり、映像信号のＲ，Ｇ，Ｂと画素クロックが割り当てられる。画像の解像度によって最大１．６５Ｇｂｐｓの伝送速度を持つ。ＤＤＣ（Display Data Channel：ディスプレイ情報）信号は（DDC Clock）と（DDC Data）とからなり、ホストコンピュータ８６とモニタ８８間でディスプレイ情報（ＤＤＣ）をやり取りする。５Ｖ  ＰｏｗｅｒとＨＰＤ（Hot Plug Detect：モニタの応答信号）はホストコンピュータ８６とモニタ８８の接続状態を通知するレベル信号である。ホストコンピュータ８６が起動すると５Ｖ  Ｐｏｗｅｒがハイレベルになり、ホストコンピュータ８６とモニタ８８が接続されている状態で、５Ｖ  Ｐｏｗｅｒがモニタ８８に入力されるとＨＰＤがハイレベルになる。メタルのＤＶＩケーブル７１にはこの他にシールド（ＧＮＤ）線が複数配置される。
【０００４】
ところが、ＤＶＩケーブル７１は、扱う信号が高速であるためにケーブルの長さを１０ｍ以上延ばせなかった。このため、高速信号を光信号に変換して長距離伝送を実現するケーブル（ファイバケーブルなど）も提案されているが、その消費電力や光信号のためのレーザー光源を扱う上での安全性の面で解決しなければならない課題が残存している。
【０００５】
例えば、これらの光伝送装置には光源からの射出光にレーザー光を利用するが、動作中に意図しないファイバケーブルの切断や光コネクタの抜去があるとレーザー光が外部に漏れ、人間の目に損傷を与える虞がある。そのため、光ケーブルが外れた時にレーザー発光を止める安全回路を盛り込む技術が提案されている（例えば、特許文献１を参照）。
【０００６】
しかしながら、光ファイバと電気配線が混載されたケーブルにおいて、電気配線の接続状態のみで光の切断を判断したのでは、ファイバケーブルのみが切断された場合に切断を把握することができずに、適切に発光を止めることができないという問題が残存する。そこで、実際に光信号の受信状態を監視して、正常な光信号を受信してない時に発光を止めることが望ましい。このような光受信部から伝送の有無を判断する方法としては、光双方向通信分野において光信号の受信状態を監視して異常を検知する技術が提案されている（例えば、特許文献２を参照）。この技術を上述のレーザー発光を止める安全回路に反映させることによって、電気配線及びファイバケーブルの接続状態を判断して、レーザー発光を停止させることが可能である。
【０００７】
また、光延長ケーブルに関連して省電力を達成する技術として、ホストとモニタが正常に接続されている状態においてホストの起動に応じて電源を投入する技術が提案されている（例えば、特許文献３を参照）。この技術では、ホストコンピュータとモニターが接続されていない時に電源供給を停止し、不要な消費電力を抑えることを提案している。従って、ホストコンピュータとモニターが正常に接続されていれば、ホストコンピュータの電源投入による起動と共に光伝送部も起動して、ホストコンピュータの電源遮断により光伝送部の電源供給も遮断される。
【先行技術文献】
【特許文献】
【０００８】
【特許文献１】特開２００１−１８５７８３号
【特許文献２】特許番号２８３８４５４号
【特許文献３】特開２００３−２０９９２０号
【発明の概要】
【発明が解決しようとする課題】
【０００９】
しかしながら、光伝送装置において、光信号の異常を検知して早急に対処する機能と、省電力を達成する機能とは、相反する機能である。すなわち、省電力を達成する機能は、上述の実際の光信号を監視する安全回路と矛盾する技術である。例えばシステム起動時、ホストコンピュータの電源が投入されてからシステムの初期設定を行っている場合に映像信号が出力されるまでの時間（所謂タイムラグ）や、映像の解像度を切替える時に映像信号が途切れる場合など、正常動作範囲内でホストコンピュータ側が映像信号を一時的に停止した場合にも受信回路は光信号が届かず、結果として障害発生と認識してしまう場合がある。
【００１０】
本発明は、上記事実を考慮して成されたもので、レーザー光の安全性を確保しつつ省電力化を実現することができる信号伝送装置を提供することが目的である。
【課題を解決するための手段】
【００１１】
上記目的を達成するために、本発明の信号伝送装置は、入力された電気信号に含まれる特定の信号を光信号に変換して送信先へ出力する電気−光変換手段と、前記電気−光変換手段とは独立して設けられ前記特定の信号以外の電気信号を前記送信先と入出力する送信側電気信号入出力手段と、前記入力された電気信号から前記特定の信号を検出する送信側検出手段と、出力した前記光信号の到達状態を表す状態信号を、前記送信先から受け取る受取手段と、リセット信号を入力するリセット入力手段を含み、前記送信側検出手段の検出結果と前記受取手段の状態信号とに基づいて、前記電気信号に前記特定の信号が含まれない場合及び前記光信号が到達しない場合の少なくとも一方の場合に光信号の出力を停止するように前記電気−光変換手段を制御し、前記光信号の出力を停止するように前記電気−光変換手段を制御しているときに前記リセット信号が入力された場合、前記光信号の出力停止を解除するように、前記電気−光変換手段を制御する制御手段と、を有している。
【００１２】
この信号伝送装置では、入力された特定の信号を含む電気信号は、電気−光変換手段によって特定の信号を含む光信号に変換されて出力される。また、特定の信号以外の電気信号は、電気−光変換手段とは独立して設けられた送信側電気信号入出力手段によって送信先と入出力される。ここで、送信側検出手段ではホスト装置から入力された電気信号から特定の信号を検出する。また、受取手段では、出力された光信号の到達状態を表す状態信号が送信先から受け取られる。これら送信側検出手段の検出結果と受取手段の状態信号とに基づいて、制御手段は、電気信号に特定の信号が含まれない場合及び光信号が到達しない場合の少なくとも一方の場合に光信号の出力を停止するように、電気−光変換手段を制御し、光信号の出力を停止するように電気−光変換手段を制御しているときにリセット信号が入力された場合、前記光信号の出力停止を解除するように、前記電気−光変換手段を制御する。これにより、電気信号に特定の信号が含まれない場合には、光信号の出力が不要のため、光信号の出力を停止でき省電力を図ることができる。また、光信号が到達しない場合、例えば光ファイバケーブルの切断や取り外しなどの場合には、光信号すなわちレーザー光が外部に漏れる虞があるため、これを停止することでレーザー光の安全性を確保することができる。さらに、双方の場合には、レーザー光の安全性を確保しつつ省電力化を実現することができる。
【００１３】
また、入力される電気信号に特定の信号が含まれない場合や例えば光ファイバケーブルの切断等で光信号が到達しない場合には、光信号の出力を停止するが、この停止が継続的に行われると、運用を中止しなければならない。このため、リセット信号を入力するリセット入力手段を備えて、制御手段が、光信号の出力を停止するように制御しているときに、リセット信号が入力された場合、この光信号の出力停止を解除するようにすれば、使用者の意図した時期に容易に送信手段の状態を復帰させることができる。
【００１４】
この特定の信号は、映像信号または音声信号であることを特徴とする。
【００１５】
前記送信側検出手段は、前記光信号を出力するために無信号状態から前記特定の信号を検出したときに、前記光信号の出力停止を解除する解除信号を前記制御手段へ出力することを特徴とする。
【００１６】
ホスト装置から特定の信号を含む電気信号の出力が開始される場合、それ以前の電気信号に特定の信号が含まれないこと及び光信号が到達しないことの双方に合致する状態（無信号状態）から推移する必要がある。また、正常動作中に特定の信号が停止し、無信号状態から復帰する場合もある。そこで、無信号状態から特定の信号を検出したときに、光信号の出力停止を解除する解除信号を制御手段へ出力することで、確実に光信号を出力することができる。
【００１７】
前記制御手段は、前記電気−光変換手段へ電力を供給するまたは遮断するスイッチ手段をさらに含み、前記入力された前記特定の信号を含む電気信号に、起動信号が含まれたときに前記電気−光変換手段へ電力を供給するように前記スイッチ手段を制御することを特徴とすることを特徴とする。
【００１８】
送信手段における電力消費は、特定の信号を含む電気信号に対してなされることは勿論であり、それ以外のときには不要な電力消費であることが多い。そこで、入力された特定の信号を含む電気信号に、ホスト装置が起動したときから出力されるべき起動信号が含まれたときに電気−光変換手段へ電力を供給するように制御することで、ホスト装置からの要求に応じて電力供給でき、省電力化を図ることができる。
【００１９】
前記制御手段は、前記スイッチ手段により前記電気−光変換手段へ電力を供給するときに、該電力供給を表す信号を前記制御信号に含めて前記送信先へ向けてさらに出力することを特徴とすることを特徴とする。
【００２０】
送信側と受信側との各々の動作状態は連動されることが好ましい。そこで、スイッチ手段により電気−光変換手段へ電力を供給するときに、電力供給を表す信号を制御信号に含めて送信先へ向けてさらに出力するようにすれば、これを受信した送信先では、この信号により送信先における電力供給を制御することができる。従って、ホスト装置からの要求に応じて送信側のみならず受信側（送信先）など他の装置に対しても電力供給を促すような省電力化を図ることができる。
【００２１】
前記制御手段は、前記スイッチ手段により前記電気−光変換手段へ電力を供給するときに、前記電気信号に特定の信号が含まれかつ前記光信号が到達した場合に、前記電力供給を表す信号を前記制御信号に含めて前記送信先へ向けて出力する電力制御手段を含むことを特徴とする。
【００２２】
送信先は、光信号が到達したときに状態信号を出力する。このため、少なくとも送信先の起動中は電力供給することが好ましい。ところが、送信元側で、前記電気信号に特定の信号が含まれていない場合や前記光信号が到達しない場合には、送信先側が起動しなくともよい。そこで、電力制御手段において、電気信号に特定の信号が含まれかつ前記光信号が到達した場合にのみ、電力供給を表す信号を制御信号に含めて送信先へ出力するようにすれば、送信先では、電力消費がないと予測される状態で電源を遮断することができる。従って、ホスト装置からの要求に応じると共に送信手段の状態に応じて、送信先など他の装置に対して最適な電力供給を促すことができ、省電力化を図ることができる。
【００２３】
前記電力制御手段は、前記光信号を出力するために無信号状態から前記特定の信号を検出した状態に移行したときに、前記電力供給を表す信号を前記制御信号に含めて前記受信先へ向けて出力することを含んでいる。
【００２４】
特定の信号を含む電気信号の出力が開始される場合、それ以前の電気信号に特定の信号が含まれないこと及び光信号が到達しないことの双方に合致する状態（無信号状態）から推移する。また、正常動作中に特定の信号が停止し、無信号状態から復帰する場合もある。そこで、無信号状態から特定の信号を検出したときに、前記電力供給を表す信号を前記制御信号に含めて受信先へ向けて出力することで、確実に受信先に電源投入を促すことができる。
【００２５】
前記受取手段は、未接続及び切断の少なくとも一方により前記状態信号が前記光信号の到達を表す状態信号以外であるときに、前記制御手段において光信号の出力を停止するための電圧レベルに状態信号を設定し出力することを特徴とする。
【００２６】
光信号の到達を表す状態信号として信号レベルを予め定めた場合、この光信号の到達を表す状態信号以外であるときには、その状態信号の信号レベルが不安定になることがある。そこで、状態信号が光信号の到達を表す状態信号以外であるときに光信号の出力停止のための電圧レベルに状態信号を設定することで、信号レベルが不安定になることがなく、安定して状態を出力することができる。この電圧レベルを設定する一例としてはプルダウン抵抗やプルアップ抵抗の設置がある。
【００２７】
前記送信側検出手段は、前記入力された電気信号の振幅値と、前記映像情報に対応する予め定めた振幅値とを比較し該比較結果に基づいて前記特定の信号を検出することを特徴とする。
【００２８】
電気信号でも光信号でも、信号の伝送帯域が高くなると伝送路のノイズ耐性を上げるために、伝送する信号が設定した期間以上同じ符号が連続しないようにコード化を行う。例えばファイバチャネルやギガビットイーサネット（登録商標）における８Ｂ１０Ｂコード化がこれにあたる。コード化することによって０と１の存在比が５０％に近づき、低周波数成分を持たず、一定の振幅を持つ高周波信号（ＡＣ信号）にすることができる。そして伝送路の途中にハイパスフィルタを設置することによってＡＣ信号のみを通し、直流（ＤＣ）ノイズ成分をキャンセルする。しかしその代わり、例えばローレベルやハイレベルが連続するようなＤＣ的な信号は通らない。本発明の信号伝送装置においても、ＤＶＩ規格に則ってホストが送信する映像情報信号はＡＣ的にコード化されている信号であり、０と１が適度に変化する振幅のある信号である。一方で映像情報信号が停止すると、コード化された信号は停止して一定の電位に固定されてしまう。よってハイパスフィルタを通した後は０と１の判別できず、振幅のない不定状態になる。そこで、映像情報に対応する振幅値を予め定めておき、定めた振幅値と入力された電気信号の振幅値と、を比較することで映像情報の有無を判別することができる。例えば、映像情報に対応する予め定めた振幅値を超えた振幅値の電気信号が入力された場合に、映像情報が含まれていると判別しこれをもって映像情報を検出することとすることができる。
【００２９】
前記送信側検出手段は、前記入力された電気信号に含まれる前記特定の信号からクロックを抽出する抽出手段を含み、前記抽出手段によりクロックが抽出されたときに前記映像情報が検出されたとすることを特徴とする。
【００３０】
例えば、映像情報を電気信号で表現する場合、画素やピクセルに対応した基準クロックを重畳する場合が多い。一般に、上記ＡＣコード化された信号からは、その信号のベースとなるクロック成分を抽出することができる。また映像情報が途絶えている時はクロックが抽出できない。そこで、入力された映像情報信号のクロックを抽出することができた場合に、映像情報が含まれると判別できる。これにより、映像情報に対応するクロックを抽出することにより、映像情報が含まれていると判別しこれをもって映像情報を検出することとすることができる。なお、抽出手段には、ＰＬＬ回路からのクロックのロック信号（ＰＬＬ回路に有意なクロックが入ったことを検知する）を出力する回路や、クロックリカバリー回路などを用いたクロックの抽出回路などがある。
【００３１】
制御手段は、前記送信側検出手段において前記特定の信号が検出されると共に前記受取手段の状態信号が前記光信号の到達状態を表す状態信号以外のときに、光信号の出力について障害が発生したことを報知する報知手段を含むことを特徴とする。
【００３２】
信号伝送装置において、特に送信手段では、何らかの障害が発生している場合、これを報知することが好ましい。そこで、送信側検出手段において特定の信号が検出されると共に受取手段の状態信号が光信号の到達状態を表す状態信号以外のときに、光信号の出力について障害が発生したことを報知する報知手段をさらに備えることで、容易に、何らかの障害発生があることを報知することができる。
【００３３】
報知手段は、例えば、電源投入時および信号伝送の動作時に、ＬＥＤ等の表示装置により表示するものである。すなわち、報知手段は、例えば、信号伝送時に光信号を伝送する光ファイバケーブル、及び電気信号を伝送する電気ケーブルのいずれかが外れる、または両者またはいずれかが切断された場合等の信号伝送動作不良発生時に、表示するものである。報知手段を外装ケース等の外側から目視により確認できる構成とすれば、使用者はこの報知手段により、障害が発生したことを確認できる。
【００３４】
前記電気−光変換手段、前記送信側検出手段、及び前記制御手段は、前記特定の信号に含まれる個別信号に対応して複数から構成されることを特徴とする。
【００３５】
光信号を伝送する光ファイバケーブルでは、複数の光信号を重畳して伝送することが可能である。また、例えば、映像情報による電気信号には複数の個別信号が存在する。そこで、電気−光変換手段、送信側検出手段、及び制御手段を、特定の信号に含まれる個別信号に対応して複数から構成することで、映像情報を含む光信号を、それに含まれる個別信号毎に制御して出力することができる。
【発明の効果】
【００３６】
以上説明したように本発明によれば、電気信号に特定の信号が含まれない場合に光信号の出力を停止することで省電力を図ることができ、例えば光ファイバケーブルの切断や取り外しなどのように光信号が到達しない場合にこれを停止してレーザー光の外部漏洩を阻止することでレーザー光の安全性を確保でき、これらの何れか及び双方を実現することができる、という優れた効果を有する。
【図面の簡単な説明】
【００３７】
【図１】本発明の実施の形態に係る映像信号伝送システムの全体構成図である。
【図２】本発明の実施の形態に係る光伝送装置の全体構成図である。
【図３】光伝送装置の電気的及び光学的接続関係を示す概要構成図である。
【図４】本発明の第１実施の形態にかかる送信モジュールの電気的な概略構成図である。
【図５】電気−光変換回路の基本概念構成図である。
【図６】受信モジュールの電気的な概略構成図である。
【図７】光−電気変換回路の基本概念構成図である。
【図８】本発明の第１実施の形態に係る光伝送装置の待機状態における動作の流れを示すフローチャートである。
【図９】本発明の第１実施の形態に係る光伝送装置の動作状態における動作の流れを示すフローチャートである。
【図１０】光伝送装置の待機状態と動作状態の混在環境の流れを示すタイミングチャートである。
【図１１】従来のメタルＤＶＩケーブルによりホストコンピュータとモニタを接続した従来の装置を示す概略構成図である。
【図１２】従来のメタルＤＶＩケーブルを示す概略構成図である。
【図１３】半導レーザーのダイオード順方向に流す電流と発光量との関係を示す特性図である。
【図１４】本発明の第２実施の形態にかかる送信モジュールの電気的な概略構成を示すブロック図である。
【図１５】本発明の第２実施の形態にかかる状態出力回路の説明図で、（Ａ）は状態出力回路周辺の主要機能部分、（Ｂ）は動作状態を示す。
【図１６】本発明の第２実施の形態にかかる光伝送装置の待機状態における動作の流れを示すフローチャートである。
【図１７】本発明の第２実施の形態にかかる光伝送装置の動作状態における動作の流れを示すフローチャートである。
【発明を実施するための形態】
【００３８】
以下、図面を参照して本発明の実施形態にかかる光伝送装置を詳細に説明する。
〔第１実施の形態〕
（全体構成）
図１に示すように、本実施の形態にかかる映像信号伝送システムは、ホストコンピュータ８６、モニタ８８、光伝送装置１０、ホストコンピュータ８６と光伝送装置１０を接続するメタルＤＶＩケーブルである映像信号ケーブル２８及びモニタ８８と光伝送装置１０を接続するメタルＤＶＩケーブルである映像信号ケーブル５６から構成されている。光伝送装置１０は、送信モジュール１２、受信モジュール１４、及び送信モジュール１２と受信モジュール１４を接続する光ファイバケーブル７２とメタルケーブル（電気ケーブル）７８から構成されている。なお、送信モジュール１２および受信モジュール１４の各々には、外部から電源供給のために外部電源４３，８３が接続されている。
【００３９】
本実施の形態の光伝送装置１０の送信モジュール１２側が本発明の信号伝送装置の一例に相当する。
【００４０】
（光伝送装置）
図２に示すように、光伝送装置１０の構成は、送信モジュール１２、受信モジュール１４、これらをつなぐ光ファイバケーブル７２及びメタルケーブル７８からなる。
【００４１】
（送信モジュール）
送信モジュール１２は、後述する受信モジュール１４の筐体４６と同一形状のボックス状の筐体１６を備えている。筐体１６の内部には、電気信号を光信号に変換して送信する電気−光変換回路基板１８、及び入力した電気信号を送信する電気信号送信回路基板２０が配置され、これらの基板はビス等で筐体１６に取り付けられている。電気−光変換回路基板１８には、一端に電気信号を入力するメス電気コネクタ２２が取り付けられており、他端に光信号を出力するメス光コネクタ２４が取り付けられている。なお、メス光コネクタ２４には、光信号を出力するレーザーダイオード２６が内蔵されている。
【００４２】
メス電気コネクタ２２には、ホストコンピュータ８６に接続された映像信号ケーブルである映像信号ケーブル２８のオス電気コネクタ３０が接続される。なお、本実施形態では、パーソナルコンピュータから映像信号、及び映像制御信号が映像信号ケーブル２８に出力される。
【００４３】
また、電気−光変換回路基板１８には、メス電気コネクタ３２が取り付けられており、電気信号送信回路基板２０には、オス電気コネクタ３４が取り付けられており、メス電気コネクタ３２とオス電気コネクタ３４とが互いに接続されている。電気信号送信回路基板２０には、電気−光変換回路基板１８の電気−光変換回路３６などにＤＣ電源を供給する電源回路３８、及び入力した映像制御信号を送信する電気信号送信回路４０の２つの回路が設けられている。また、電源回路３８には、ＡＣ電源に接続されたＡＣアダプター４４から構成される外部電源４３が接続されており、電源回路３８は、電気−光変換回路３６などにＤＣ電源の供給を制御する。
【００４４】
電気信号送信回路基板２０は、送信モジュール１２が動作中であることを表示する、例えば緑色のＬＥＤ（図中符号Ａ）を備えており、動作中はＬＥＤ（Ａ）が点灯する。また、電気信号送信回路基板２０は、例えば赤色のＬＥＤ（図中符号Ｂ）を備えており、送信モジュール１２の動作不良や信号伝送不良が発生した場合に、赤色のＬＥＤ（Ｂ）が点灯する。ＬＥＤ（Ａ）、及びＬＥＤ（Ｂ）は、筐体１６の外側から見えるように取り付けられている。
【００４５】
この信号伝送不良とは、例えば、光ファイバケーブル７２が接続されていない場合や切断された場合等で、受信モジュール１４が光ファイバケーブル７２からの光信号を受信できていない場合のことであり、詳細は後述する。
【００４６】
（受信モジュール）
受信モジュール１４は、送信モジュール１２の筐体１６と同一形状のボックス状の筐体４６を備えている。筐体４６の内部には、受信した光信号を電気信号に変換して出力する光−電気変換回路基板４８、及び入力した電気信号を送信する電気信号受信回路基板５０が配置され、これらの基板はビス等で筐体１６に取り付けられている。光−電気変換回路基板４８には、一端に光信号を入力するメス光コネクタ５１が取り付けられており、他端に電気信号を出力するメス電気コネクタ５２が取り付けられている。
【００４７】
なお、メス光コネクタ５１には、光信号を受信するフォトダイオード５４が内蔵されている。メス電気コネクタ５２には、例えば、モニタ８８（例えば、プラズマディスプレイ）に接続された映像信号ケーブル５６のオス電気コネクタ５８が接続される。なお、このメス電気コネクタ５２からは、映像信号、及び後述する電気信号受信回路６８からの映像制御信号が出力される。
【００４８】
また、光−電気変換回路基板４８には、メス電気コネクタ６０が取り付けられており、電気信号受信回路基板５０には、オス電気コネクタ６２が取り付けられており、メス電気コネクタ６０とオス電気コネクタ６２とが互いに接続されている。電気信号受信回路基板５０には、送信モジュール１２から送信された映像制御信号を入力するためのメス電気コネクタ７０が取り付けられている。また、電気信号受信回路基板５０には、光−電気変換回路６４などにＤＣ電源を供給する電源回路６６、及び映像制御信号を受信する電気信号受信回路６８の２つの回路が設けられている。また、電源回路６６には、ＡＣ電源に接続されたＡＣアダプター８４から構成される外部電源８３が接続されており、電源回路６６は、光−電気変換回路６４などにＤＣ電源の供給を制御する。
【００４９】
電気信号受信回路基板５０は、受信モジュール１４が動作中であることを表示する、例えば緑色のＬＥＤ（図中符号Ｃ）を備えており、動作中はＬＥＤ（Ｃ）が点灯する。また、電気信号受信回路基板５０は、例えば赤色のＬＥＤ（図中符号Ｄ）を備えており、受信モジュール１４の動作不良や光信号を受信していない場合や（送信モジュール１２が送信していない場合）、信号伝送不良が発生した場合を図示を省略した診断回路で検出して、赤色のＬＥＤ（Ｄ）が点灯する。ＬＥＤ（Ｃ）、及びＬＥＤ（Ｄ）は、筐体４６の外側から見えるように取り付けられている。この信号伝送不良とは、例えば、光ファイバケーブル７２が接続されていない場合や切断された場合等である。
【００５０】
なお、受信モジュール１４は、光信号の受信について、光信号の光量に応じて送信モジュール１２からの光信号が到達したか否かを判断してその結果を表す信号ＬＯＰ（Loss of Power：光量モニタ信号）をメタルケーブル７８を介して送信モジュール１２へ送信する構成を含んでいる。
【００５１】
（光伝送装置の電気的接続関係）
図３に示すように、光伝送装置１０の電気的及び光学的接続関係は、送信モジュール１２及び受信モジュール１４が光ファイバケーブル７２及びメタルケーブル７８により接続されて構成されている。送信モジュール１２では、ホストコンピュータ８６から入力される映像信号のうち、ＴＭＤＳ信号が、個別のＴＭＤＳ信号に対応する電気−光変換回路３６Ａ，３６Ｂ，３６Ｃ，３６Ｄに入力される。個別のＴＭＤＳ信号には、data0+とdata0-、data1+とdata1-、data2+とdata2-、Clock+とClock-、からなる差動信号対の信号がある。電気−光変換回路３６Ａ〜３６Ｄの各々では、個別のＴＭＤＳ信号を光信号に変換して出力する。これら差動信号対信号に対応して受信モジュール１４には、光−電気変換回路６４Ａ，６４Ｂ，６４Ｃ，６４Ｄを備えている。光−電気変換回路６４Ａ〜６４Ｄの各々では、個別の光信号を対応するＴＭＤＳ信号に変換して出力する。電気−光変換回路３６Ａ〜３６Ｄからなる電気−光変換回路３６と、光−電気変換回路６４Ａ，６４Ｂ，６４Ｃ，６４Ｄからなる光−電気変換回路６４とは、光ファイバケーブル７２により接続される。
【００５２】
また、送信モジュール１２では、ホストコンピュータ８６から入力される映像信号のうち、ＴＭＤＳ信号以外の信号（制御信号）が受信モジュール１４へ出力される。ＴＭＤＳ信号以外の信号（制御信号）には、ＬＯＰ（Loss of Power：光量モニタ信号：詳細は後述），５Ｖ  Ｐｏｗｅｒ，DDC Clock，DDC Data，HPD，GNDがある。これらの信号はメタルケーブル７８により接続される送信モジュール１２と受信モジュール１４との間で伝送される。
【００５３】
なお、送信モジュール１２及び受信モジュール１４の間の信号の方向の観点では、ＴＭＤＳ信号は送信モジュール１２（Ｔｘ）から受信モジュール１４（Ｒｘ）への片方向、制御信号はＴｘ５Ｖ、Ｃｌｏｃｋが送信モジュール１２（Ｔｘ）から受信モジュール１４（Ｒｘ）への片方向、ＬＯＰ，ＨＰＤが受信モジュール１４（Ｒｘ）から送信モジュール１２（Ｔｘ）への片方向、Ｄａｔａが双方向となる。
【００５４】
上記構成によって、４ビットのＴＭＤＳ信号を、トランシーバである送信モジュール１２（Ｔｘユニット）で光信号に変換し、４本の光ファイバケーブルを用いてレシーバーである受信モジュール１４（Ｒｘユニット）に伝送する。受信モジュール１４は光信号を再びＴＭＤＳ信号に戻してモニタ８８に出力する。なお、ここでは、差動信号対のＴＭＤＳ信号毎にファイバケーブルを用いる場合を説明するが、波長多重、時間多重などを用いてＴＭＤＳ信号を多重化し、ファイバケーブルの本数を少なくすることも可能である。ＴＭＤＳ信号以外のその他の信号はメタルケーブル７８で送受信する。この信号中には、受信モジュール１４での信号受信状態を通知するロスオブパワー（ＬＯＰ）信号も含まれる。本実施の形態においては、ＬＯＰ信号は光信号を正常に受信している場合はハイレベル、無信号時または受信に異常がある場合はローレベルとなる２値のレベル信号とする。
【００５５】
なお、送信モジュール１２は、詳細を後述する光信号の出力停止状態を解除するためのリセット入力端３７、及び電源供給のための外部電源４３を備えている。また、受信モジュール１４は、電源供給のための外部電源８３を備えている。
【００５６】
（送信モジュールの電気的構成）
図４には、送信モジュール１２の電気的な概略構成を示した。送信モジュール１２のＤＶＩコネクタであるメス電気コネクタ２２は、差動信号対のＴＭＤＳ信号用の端子２２Ａ，２２Ｂ，２２Ｃ，２２Ｄを有しており、各々が電気−光変換回路３６Ａ，３６Ｂ，３６Ｃ，３６Ｄに接続されている。ＴＭＤＳ信号は電気−光変換回路３６で光化される。これら電気−光変換回路３６Ａ〜３６Ｄの各々は、電源供給を受けるために、電源線３９に接続されており、この電源線３９は電源回路３８に内蔵された内部スイッチ３８Ａを介して外部電源４３に接続されている。この内部スイッチ３８Ａは、メス電気コネクタ２２のＴＭＤＳ信号以外の制御信号のうち5V Power信号用の端子２２Ｅが接続されている。なお、このＴＭＤＳ信号以外の他の制御信号（DDC Clock，DDC Data，HPD，GND）用には、端子２２Ｆ，２２Ｇ，２２Ｈ，２２Ｊを有している。
【００５７】
従って、ホストコンピュータ８６が起動されることにより出力される起動信号である5V Power信号が供給されると（例えばハイレベルになると）、内部スイッチ３８Ａが導通状態となり、外部電源４３と電源線３９が接続されて、電源線３９に外部電源４３からの電源が供給される。一方、ホストコンピュータ８６の作動が終了されることにより5V Power信号が非供給になると（例えばローレベルになると）、内部スイッチ３８Ａが非導通状態となり、外部電源４３と電源線３９が遮断されて、電源線３９への電源供給が遮断される。
【００５８】
すなわち、外部電源４３は内部スイッチ３８Ａを介して送信モジュール１２内部に電力を供給するようになっている。この内部スイッチ３８Ａを制御するのはホストコンピュータ８６が出力する５Ｖ  Ｐｏｗｅｒのレベル信号で、ホストコンピュータ８６の電源投入に連動して送信モジュール１２の電源が投入される。なお、メタルケーブル７８で伝送する信号線はそのまま直結してもよいが、ケーブル長が長くなる場合は、バッファ回路４０Ａによるバッファを挿入することが好ましい。本実施の形態では、バッファを挿入した場合を説明する。
【００５９】
また、電気−光変換回路３６Ａ〜３６Ｄの各々は、初期状態に復帰の指示入力を受ける端子を備えており、この端子は、リセット入力端３７に接続されている。このリセット入力端３７には、押圧によってリセット信号を出力するリセットスイッチなどの図示しない指示装置が接続される。
【００６０】
また、電気−光変換回路３６Ａ〜３６Ｄの各々は、受信モジュール１４からのＬＯＰ信号の入力を受ける端子を備えており、この端子は、受信モジュール１４からのＬＯＰ信号がバッファ２９を介して入力されるように接続されている。なお、バッファ２９は、電源供給を受けるために、電源線３９に接続されている。
【００６１】
ＬＯＰ信号は、メタルケーブル７８によって授受されるが、このメタルケーブル７８で授受される他の信号には、Ｔｘ  ５Ｖ信号、Ｃｌｏｃｋ信号，Ｄａｔａ信号，ＨＰＤ信号，ＧＮＤ信号がある。Ｔｘ  ５Ｖ信号は、信号端子を電源線３９に接続することで、5V Power信号による内部スイッチ３８Ａの導通で外部電源４３の電源供給がなされたときに電源供給状態を表す信号として利用される。一方、5V Power信号の非供給により外部電源４３からの電源供給遮断を表す信号としても利用される。Ｃｌｏｃｋ信号は、端子２２Ｆから出力されるＤＤＣ  Ｃｌｏｃｋ信号が電気信号送信回路４０に内蔵されるバッファ回路４０Ａ内の該当バッファを介して出力される信号であり、Ｄａｔａ信号も同様に、端子２２Ｇから出力されるＤＤＣ  Ｄａｔａ信号がバッファ回路４０Ａ内の該当バッファを介して出力される信号である。また、ＨＰＤ信号は、受信モジュール１４から出力される信号であり、バッファ回路４０Ａ内の該当バッファを介してＨＰＤ用の端子２２Ｈへ入力される信号である。また、ＧＮＤ信号は、そのままメタルケーブル７８に接続される。なお、上記電気信号送信回路４０のバッファ回路４０Ａは、電源供給を受けるために、電源線３９に接続されている。
【００６２】
なお、電源線３９には、ＬＥＤ（図中、丸符号Ａ）が接続されており、動作中に点灯するように制御することができる。
【００６３】
（電気−光変換回路の電気的構成）
図５には、電気−光変換回路３６Ａの基本概念構成を示した。なお、ここでは、電気−光変換回路３６Ａを代表として説明するが、他の電気−光変換回路３６Ｂ〜３６Ｄも同様である。電気−光変換回路３６Ａは、ＴＭＤＳ信号検知部１００，レーザー停止制御部１０２，レーザー光量制御部１０４，レーザーダイオードドライバ１０６を備えている。
【００６４】
レーザーダイオードドライバ１０６の出力側は、端子２２ＡのＴＭＤＳ信号に対応するレーザーダイオード２６（２６Ａ）に接続されている。レーザーダイオードドライバ１０６の信号入力側には、ＴＭＤＳ信号用の端子２２Ａが接続されており、レーザーダイオードドライバ１０６の信号入力側と端子２２Ａの間の各々は、終端抵抗１１０を介して電源に接続されかつＴＭＤＳ信号検知部１００の入力側に接続されている。レーザーダイオードドライバ１０６の制御信号入力側には、レーザー停止制御部１０２及びレーザー光量制御部１０４の各出力側が接続されている。レーザー停止制御部１０２の入力側には、ＴＭＤＳ信号検知部１００の出力側、リセット入力端３７、及びＬＯＰ信号を出力するバッファ２９の出力側が接続されている。このレーザー停止制御部１０２の入力側と、ＬＯＰ信号を出力するバッファ２９の出力側との間は、プルダウン抵抗１０８を介して接地されている。
【００６５】
この電気−光変換回路３６Ａでは、ＴＭＤＳ信号でレーザーダイオードドライバ１０６を駆動し、レーザーダイオード２６Ａに駆動電流を供給する。レーザー光量制御部１０４は、周囲温度や素子の特性によって発光量が変動することなく所定光量となるように制御するためのものである。これにより、入力されたＴＭＤＳ信号に応じてレーザーダイオード２６Ａが点滅する。このレーザーダイオード２６Ａの点灯は、レーザー停止制御部１０２によって強制的に停止することができる。すなわち、レーザー停止制御部１０２は、ＴＭＤＳ信号検知部１００からの信号、または受信モジュール１４からの受信状態信号（ＬＯＰ信号）によりレーザーダイオード２６Ａの発光を強制的に停止するようにレーザーダイオードドライバ１０６を制御することができる。
【００６６】
このレーザー停止制御部１０２の動作を説明する。例えば、ホストコンピュータ８６がＴＭＤＳ信号を出力していてかつＬＯＰ信号がローレベルになった場合は直ちにレーザーダイオード２６Ａを停止するべく、レーザー停止制御部１０２はレーザーダイオードドライバ１０６を制御する。これは、ＴＭＤＳ信号の出力に応じて光信号を出力しているにも拘わらず、その光信号が受信モジュール１４へ到達せずにＬＯＰ信号がローレベルで返送された場合である。このため、このケースでは何らかの障害により光信号が受信モジュール１４に届かなかったことが想定され、レーザー光が装置外にもれている虞がある。従って、使用者の安全を考慮してレーザーダイオード２６Ａの発光を停止する。
【００６７】
一方、ホストコンピュータ８６からＴＭＤＳ信号が出力されていない状態は、原理的にＬＯＰ信号はローレベルすなわち光信号は受信モジュール１４に到達していないことを表している。この状態からＴＭＤＳ信号の出力が開始されると、ＬＯＰ信号がローレベルで返送されているため、レーザーダイオード２６Ａの強制的な発光停止が維持され、光信号によるＴＭＤＳ信号の出力ができない。これを解消するために、ＬＯＰ信号がローレベルであるときにホストコンピュータ８６からＴＭＤＳ信号が出力されていない状態からＴＭＤＳ信号出力の開始状態へ移行された場合、ＬＯＰ信号を一時無視して通信の確立に必要な所定時間だけレーザーダイオード２６Ａを発光させる。これにより、光信号によるＴＭＤＳ信号の出力が可能となる。
【００６８】
この通信の確立に必要な所定時間とは、レーザーダイオード２６Ａが発光を開始して、その光信号を受信モジュール１４が受信してＬＯＰ信号がハイレベルになり、それが送信モジュール１２に伝送されるのに十分な時間以上で、かつ、レーザー安全規格で決められた、漏れ光発生時にレーザー光を停止させなければならない時間以下とする。この時間は、予め実験や計算によって求めることができる。このＬＯＰ信号を一時無視する具体的な構成としては、レーザー停止制御部１０２に、例えばＴＭＤＳ信号が入力され始めたときにＬＯＰ信号のレベルを一旦仮に（一時的に）ハイレベルにリセットするハイレベル設定部と、一時的にハイレベルにリセットした状態を維持する時間調整可能な遅延回路とを備える。そして、ＴＭＤＳ信号が入力され始めたときにＬＯＰ信号のレベルを一旦ハイレベルにリセットしそのリセットしてから再びＬＯＰ信号のレベルが反映されるまでの時間分すなわち上記予め実験や計算によって求めた時間分、レーザー停止制御部１０２が安全回路として機能するように遅延回路を調整する。
【００６９】
なお、ＴＭＤＳ信号検知部１００は、４ビットのＴＭＤＳ信号中の一つを監視するためのもので、ホストコンピュータ８６から映像情報として有意な信号が出力されているか否かを検知する。例えば、ＴＭＤＳ信号検知部１００にピークホールド回路（図示省略）を備え、このピークホールド回路で得た信号の電圧振幅値を所定の閾値と比較することで実現できる。この所定の閾値の一例は、ホストコンピュータ８６から映像情報を含む有意な信号が出力される場合の電圧振幅値を、予め実験や計算などによって統計的に求めた値がある。
【００７０】
また、ＴＭＤＳ信号検知部１００の他例としては、高速シリアル伝送で用いられるクロック抽出機能を用いることができる。これは、映像情報として有意な信号である場合に、ＴＭＤＳ信号に所定周期のクロックが埋め込まれていることを前提として、例えば、ＴＭＤＳ信号に埋め込まれているクロック成分を抽出できた時に有意な信号が来ていることを判断し検知することができる。すなわち、ＴＭＤＳ信号からクロック成分を抽出する抽出回路（図示省略）を備え、この抽出回路で得た信号がクロックであるか否かの判定または抽出回路で得たクロック信号の周期と所定の周期とを比較することで実現できる。この所定の周期の一例は、映像情報として有意な信号である場合にＴＭＤＳ信号に埋め込まれるクロック周期を抽出した場合に、許容される範囲のクロック周期を、予め実験や計算などによって統計的に求めたものがある。
【００７１】
なお、ＬＯＰ信号の伝送ラインはメタルケーブル７８が未接続時あるいは切断時にレベルが不安定になる可能性がある。このようにＬＯＰ信号が正しく通知できない場合でも送信モジュール１２からレーザー光がでないように強制的にレーザー停止制御部１０２のＬＯＰ入力部のレベルをレーザーダイオード２６Ａが発光しないレベルに強制的に確定させることができる。本実施の形態では、光信号受信状態でＬＯＰ信号がハイレベルになるので、送信モジュール１２内すなわちバッファ２９とレーザー停止制御部１０２との間の信号線にプルダウン抵抗１０８を付加している。なお、ＬＯＰ信号が逆の特性を持つ場合はハイレベルへのプルアップ抵抗を付加すればよい。
【００７２】
また、レーザー停止制御部１０２には、ＬＥＤ（図中、丸符号Ｂ）が接続されており、動作不良や信号伝送不良が発生した場合にレーザー停止制御部１０２がこのＬＥＤを点灯するべく制御することができる。
【００７３】
（受信モジュールの電気的構成）
図６には、受信モジュール１４の電気的な概略構成を示した。受信モジュール１４のＤＶＩコネクタであるメス電気コネクタ５２は、差動信号対のＴＭＤＳ信号用の端子５２Ａ，５２Ｂ，５２Ｃ，５２Ｄを有しており、各々が光−電気変換回路６４Ａ，６４Ｂ，６４Ｃ，６４Ｄに接続されている。これら電気変換回路６４Ａ〜６４Ｄの各々は、電源供給を受けるために、電源線６７に接続されており、この電源線６７は電源回路６６に内蔵された内部スイッチ６６Ａを介して外部電源８３に接続されている。この内部スイッチ６６Ａは、メタルケーブル７８を介して入力されるＴＭＤＳ信号以外の制御信号のうちＴｘ  ５Ｖ信号により作動が制御される。
【００７４】
すなわち、Ｔｘ  ５Ｖ信号が供給されると（例えばハイレベルになると）、内部スイッチ６６Ａが導通状態となり、外部電源８３と電源線６７が接続されて、電源線６７に外部電源８３からの電源が供給される。一方、Ｔｘ  ５Ｖ信号が非供給になると（例えばローレベルになると）、内部スイッチ６６Ａが非導通状態となり、電源線６７への電源供給が遮断される。
【００７５】
すなわち、受信モジュール１４は送信モジュール１２と同様に外部電源８３は内部スイッチ６６Ａを介して供給されるが、受信モジュール１４は送信モジュール１２が起動した時にハイレベルになる信号（Ｔｘ  ５Ｖ信号）をメタルケーブル７８で伝送してそれをトリガーとする。これは、ホストの５Ｖ  Ｐｏｗｅｒは最大消費電流が規定されているので、こうような構成にすることで長距離ケーブル伝送中に無駄に消費することがなくなるためである。また、例えば送信モジュール１２に何らかの障害が発生した場合、受信モジュール１４を起動する必要がないので、ホストコンピュータ８６ではなく送信モジュール１２の起動と連動すれば十分であることにも起因する。
【００７６】
また、光−電気変換回路６４Ａ〜６４Ｄの各々は、送信モジュール１２へ向けてＬＯＰ信号を出力するためのＯＲ素子５７を備えており、ＯＲ素子５７の出力信号であるＬＯＰ信号は、メタルケーブル７８を介して送信モジュール１２へ出力される。このＯＲ素子５７の入力側は、光−電気変換回路６４Ａ〜６４Ｄの各々に接続されている。なお、ＯＲ素子５７は、電源供給を受けるために、電源線６７に接続されている。
【００７７】
メタルケーブル７８によって授受される他の信号に対する構成は、送信モジュール１２と同様に、Ｃｌｏｃｋ信号は、電気信号受信回路６８に内蔵されるバッファ回路６８Ａ内の該当バッファを介してＤＤＣ  Ｃｌｏｃｋ信号用の端子５２Ｆへ出力される信号であり、Ｄａｔａ信号も同様に、バッファ回路６８Ａ内の該当バッファを介してＤＤＣ  Ｄａｔａ信号用の端子５２Ｇへ出力される信号である。また、ＨＰＤ信号は、端子５２Ｈから出力されるＨＰＤ信号をバッファ回路６８Ａ内の該当バッファを介して出力される信号である。また、ＧＮＤ信号は、そのままメタルケーブル７８に接続される。なお、上記電気信号受信回路６８のバッファ回路６８Ａは、電源供給を受けるために、電源線６７に接続されている。
【００７８】
なお、電源線６７には、ＬＥＤ（図中、丸符号Ｃ）が接続されており、動作中に点灯するように制御することができる。
【００７９】
（光−電気変換回路の電気的構成）
図７には、光−電気変換回路６４Ａの基本概念構成を示した。なお、ここでは、光−電気変換回路６４Ａを代表として説明するが、他の光−電気変換回路６４Ｂ〜６４Ｄも同様である。光−電気変換回路６４Ａは、プリアンプ１２０、ポストアンプ１２２、及び光量モニタ信号検知部１２４を備えている。プリアンプ１２０の入力側は、対応するフォトダイオード５４（５４Ａ）に接続されている。プリアンプ１２０の出力側は、ポストアンプ１２２を介してＴＭＤＳ信号用の端子５２Ａが接続されると共に、光量モニタ信号検知部１２４の信号入力側に接続されている。光量モニタ信号検知部１２４の出力側は、ＬＯＰ信号として出力するためのＯＲ素子５７の入力側に接続されている。
【００８０】
この光−電気変換回路６４Ａでは、光ファイバケーブル７２により伝送された光信号がＴＭＤＳ形式の電気信号に変換される。まずフォトダイオード５４（ＰＤ）で発生した光電流をプリアンプ１２０で電流−電圧変換する。このときの出力電圧振幅は入射する光量に比例する。このため、プリアンプ１２０の出力から光信号の到達状態を監視することができる。本実施の形態の光量モニタ信号検知部１２４は、光信号の到達状態を監視するためのもので、送信モジュール１２からの光信号が到達したか否かを検知し、その結果をＬＯＰ信号として出力する。詳細には、例えば、光量モニタ信号検知部１２４にピークホールド回路（図示省略）を備え、このピークホールド回路で得た信号の電圧振幅値を所定の閾値と比較することで実現できる。例えばピークホールド回路の振幅値が所定の閾値を超えない場合は、ＬＯＰ信号をローレベルにし、超えた場合はＬＯＰ信号をハイレベルにする。この所定の閾値の一例は、送信モジュール１２から出力された光信号がフォトダイオード５４に入射する光量の電圧振幅値を、予め実験や計算などによって統計的に求めた値がある。
【００８１】
なお、本実施の形態では、ＴＭＤＳ信号として複数の差動信号対を用いている。これら複数の差動信号対に対応する複数の光信号の一つでも受信（受光）できなければ何らかの障害が発生した虞がある。そこで、本実施の形態では、複数の光信号の一つでも受信（受光）できない場合に何らかの障害が発生したと認識させるため、光−電気変換回路６４の各々から出力されるＬＯＰ信号のＯＲ素子５７による論理和をＬＯＰ信号として送信モジュール１２に送信する。これによって、ＬＯＰ信号を送信モジュール１２へ通知することができる。
【００８２】
また、光量モニタ信号検知部１２４には、ＬＥＤ（図中、丸符号Ｄ）が接続されており、光信号到達不良が発生した場合に光量モニタ信号検知部１２４がこのＬＥＤを点灯するべく制御することができる。
【００８３】
なお、本実施の形態の電気−光変換回路３６は本発明の電気−光変換手段に相当し、電気信号送信回路基板２０は本発明の送信側電気信号入出力手段に相当する。また、本実施の形態のＴＭＤＳ信号検知部１００は本発明の送信側検出手段に相当し、レーザー停止制御部１０２は本発明の制御手段に相当し、バッファ２９は本発明の受取手段に相当する。また、リセット入力端３７は本発明のリセット入力手段に相当し、内部スイッチ３８Ａは本発明のスイッチ手段に相当する。
【００８４】
また、本実施の形態の光−電気変換回路６４は光−電気変換手段に相当し、電気信号受信回路基板５０は受信側電気信号入出力手段に相当する。また、本実施の形態の光量モニタ信号検知部１２４は受信側検出手段に相当する。また、プリアンプ１２０はプリアンプに相当し、内部スイッチ６６Ａは受信側スイッチ手段に相当する。
【００８５】
（作用）
次に、本実施の形態の作用を説明する。ホストコンピュータ８６から映像信号、及び映像制御信号（共に電気信号）が送信モジュール１２に入力すると、映像信号は電気−光変換回路基板１８で光信号に変換され、光ファイバケーブル７２を介して受信モジュール１４へ送信され、映像制御信号は、電気信号送信回路基板２０、及びメタルケーブル７８を介して受信モジュール１４との間で送受信される。受信モジュール１４では、光信号（映像信号）が光−電気変換回路６４にて電気信号に変換され、電気信号（映像信号）が映像信号ケーブル５６を介してモニタ８８へ伝達され、映像制御信号は電気信号受信回路６８、及び映像信号ケーブル５６を介してモニタ８８へ伝達される。
【００８６】
なお、送信モジュール１２及び受信モジュール１４の間の信号の方向の観点では、ＴＭＤＳ信号は送信モジュール１２（Ｔｘ）から受信モジュール１４（Ｒｘ）への片方向、制御信号はＴｘ５Ｖ、Ｃｌｏｃｋが送信モジュール１２（Ｔｘ）から受信モジュール１４（Ｒｘ）への片方向、ＬＯＰ，ＨＰＤが受信モジュール１４（Ｒｘ）から送信モジュール１２（Ｔｘ）への片方向、Ｄａｔａが双方向となる。
【００８７】
この光伝送装置１０の詳細な動作を図面を参照して説明する。なお、ここでは、光伝送装置１０の待機状態と動作状態との各々について説明する。図８には、光伝送装置１０の待機状態における動作の流れを示した。また、図９には、光伝送装置１０の動作状態における動作の流れを示した。待機状態とは、ホストコンピュータ８６の電源が投入されていて映像信号が出力されていない状態を示す。また、動作状態とは、ホストコンピュータ８６に電源が投入されて映像信号が出力される状態を示す。
【００８８】
図８に示すように、待機状態では、まず、ステップ２００において、ホストコンピュータ８６から映像信号が出力されるまで（肯定されるまでステップ２０２で否定判断を繰り返し）、待機する。このとき、光信号は出力していないので、ＬＯＰ信号はローレベルになっている。すなわち、光量モニタ信号検知部１２４はローレベルのＬＯＰ信号を出力し、これをレーザー停止制御部１０２が受け取ることで、レーザー停止制御部１０２はレーザーダイオードドライバ１０６によりレーザーダイオード２６の発光を停止するべく制御する。
【００８９】
次に、ホストコンピュータ８６からＴＭＤＳ信号が出力されると、ＴＭＤＳ信号検知部１００において信号を検知して、レーザーダイオード２６の発光停止を解除するための解除信号をＴＭＤＳ信号検知部１００がレーザー停止制御部１０２へ出力する。従って、ＬＯＰ信号がローレベルであっても上述のように、少なくとも通信が確立するのに必要な時間は強制的にレーザーダイオード２６を発光させる（ステップ２０４）。
【００９０】
ステップ２０４においてレーザーダイオード２６が発光すると、その光信号を受信モジュール１４が受信、詳細にはフォトダイオード５４で受光し（ステップ２０６）、受光量に応じたフォトダイオード５４の出力信号をプリアンプ１２０が増幅してポストアンプ１２２へ出力する。これをポストアンプ１２２で受信して出力信号用に増幅したＴＭＤＳ信号を出力する（ステップ２０８）。このポストアンプ１２２の受信と同時に、光量モニタ信号検知部１２４は、プリアンプ１２０の出力から光信号の到達状態を監視し、送信モジュール１２からの光信号が到達したか否かを検知し、送信モジュール１２から光信号が到達したときに、ＬＯＰ信号をハイレベルに遷移させて出力する。
【００９１】
送信モジュール１２のレーザー停止制御部１０２では、レーザーダイオード２６の発光後にＬＯＰ信号がハイレベルに遷移したか否かを判別する（ステップ２１０）。ＬＯＰ信号がハイレベルに遷移した場合（ステップ２１０で肯定）、正常動作を続けることができる（ステップ２１２）。一方、ＬＯＰ信号がローレベルのままなら（ステップ２１０で否定）、何らかの障害があると認識して安全のためにレーザーダイオード２６の発光を停止するべく（ステップ２１４）、レーザー停止制御部１０２はレーザーダイオードドライバ１０６によるレーザーダイオード２６の発光停止を制御する。
【００９２】
図９に示すように、動作状態では、まず、ステップ２２０において、ホストコンピュータ８６から出力された映像信号が入力される。このとき、光量モニタ信号検知部１２４では常時光信号の到達状態を監視してＬＯＰ信号を出力する。レーザー停止制御部１０２では、常にＬＯＰ信号を監視して、ＬＯＰ信号がハイレベルのときは（ステップ２２２で肯定）、送信モジュール１２の動作を継続する。すなわち、レーザーダイオードドライバ１０６によりレーザーダイオード２６を発光させる（ステップ２２４）。このレーザーダイオード２６の発光による光信号をフォトダイオード５４が受光し（ステップ２２６）、ポストアンプ１２２においてＴＭＤＳ信号として映像信号を出力する（ステップ２２８）。
【００９３】
一方、レーザー停止制御部１０２は、ＬＯＰ信号がローレベルに遷移したとき（ステップ２２２で否定）、レーザーダイオード２６の発光を停止するべく、レーザーダイオードドライバ１０６を制御する（ステップ２３２）。このとき、レーザー停止制御部１０２は、ＴＭＤＳ信号検知部１００からの信号を検知し、ＴＭＤＳ信号検知部１００がＴＭＤＳ信号は出力されていないとの検知結果であるとき（ステップ２３４で否定）、ホストコンピュータ８６側による映像信号停止として、上述の待機状態（図８の処理）に移行する（ステップ２３６）。一方、ＴＭＤＳ信号が引き続き出力されているとの検知結果であるとき（ステップ２３４で肯定）、レーザー停止制御部１０２は、何らかの原因により送信モジュール１２と受信モジュール１４の間の伝送に障害が発生したと判断し、障害発生と認識し、障害発生処理に移行する（ステップ２３８）。この障害発生処理では、警報ＬＥＤを点灯させたり、警告音を鳴らしたりするなどの警告を発することができる。
【００９４】
図１０には、上述の待機状態と動作状態の混在環境の流れをタイミングチャートで示した。
【００９５】
時刻Ｔ１において、ホストコンピュータ８６が起動すると、5V Power信号がハイレベルとなり、内部スイッチ３８Ａが導通状態となる。これにより、送信モジュール１２及び受信モジュール１４の各々に外部電源より電源供給がなされ、動作可能状態となる。この場合には、映像信号が出力されずかつ光信号が受信モジュール１４へ到達していないので、待機状態となる。
【００９６】
時刻Ｔ２において、ホストコンピュータ８６から映像信号の出力が開始されると、これをＴＭＤＳ信号検知部１００が検知して光信号出力停止を解除するための解除信号をレーザー停止制御部１０２へ出力する。これによって、レーザー停止制御部１０２は、受信モジュール１４への光信号の到達の可否に関係なくレーザーダイオード２６を一時的に強制発光するようにレーザーダイオードドライバ１０６を制御する。この場合には、動作状態となる。なお、このとき、上述のように、レーザー安全に規定された時間内に光信号が返送されなければ、すなわちＬＯＰ信号がハイレベルに遷移しなければ、レーザー停止制御部１０２は、レーザーダイオード２６の発光を停止するようにレーザーダイオードドライバ１０６を制御する。
【００９７】
時刻Ｔ３において、ホストコンピュータ８６から映像信号の出力が停止されると、これを受信モジュール１４の光量モニタ信号検知部１２４が検知して、受信モジュール１４は送信モジュール１２へローレベルのＬＯＰ信号を出力する。送信モジュール１２のレーザー停止制御部１０２は、受信モジュール１４側で光信号を検知できないことを検知（ＬＯＰ信号がローレベル）することで、レーザーダイオード２６の発光を停止するようにレーザーダイオードドライバ１０６を制御する。このとき、ＴＭＤＳ信号検知部１００により映像信号が出力されていないことを検知して、待機状態となる。
【００９８】
なお、本実施の形態では、映像情報が停止する（映像信号が出力されずローレベルとなる）と光信号も必然的に停止するという観点から、光信号が到達しない（ＬＯＰ信号のレベルによる）場合に光信号の出力を停止する場合を説明するが、本発明はこれに限定されるものではない。すなわち、映像信号が出力されない場合のみの状態、光信号が到達しないのみの状態、及び映像信号が出力されずに光信号が到達しない双方の状態の何れの状態にも適用可能である。特に、映像信号が出力されない場合のみの状態では、消費電力低減の観点から好ましい態様となる。例えば、映像信号が出力されてない状態で何らかの故障が生じて光信号が受信モジュール１４へ到達したとき（異常到達）、受信モジュール１４の系において回路内で発振などの異常が生じ、光信号が到達していると誤って認識ししたとき（誤動作）などの場合、映像信号が出力されない単独の状態となる。そこで、この場合にも光信号の出力を停止することで、上記異常到達や誤動作の早期対処が可能となる。また、映像信号が停止してから光信号が到達してないことが通知されるまでに時間を要する場合、例えば光信号が送信側に伝送され、それがメタルケーブルで戻ってくるまでの時間を要する場合には、光信号が到達しない状態を検知するまで待機することより効率よく対処が可能となる。
【００９９】
時刻Ｔ４において、ホストコンピュータ８６から映像信号の出力が再開されると、上述の時刻Ｔ２と同様に、動作状態へ移行する。すなわち、待機状態で映像信号検知がローレベルからハイレベルへ遷移したので、光信号の有無に依らずレーザーダイオード２６を強制発光する。そして、レーザー安全に規定された時間内に光信号の到達を確認できなければ停止する。
【０１００】
時刻Ｔ５において、例えば光ファイバケーブル７２が断線した場合、光量モニタ信号検知部１２４において光信号の到達を検知できないためにＬＯＰ信号をローレベル、すなわち、受信モジュール１４側で光信号を検知できないことを検知（ＬＯＰ信号がローレベル）することで、レーザー停止制御部１０２はレーザーダイオード２６の発光を停止するようにレーザーダイオードドライバ１０６を制御する。このとき、ＴＭＤＳ信号検知部１００により映像信号が出力されると検知しているため、障害発生状態となる。このとき、ＬＥＤによって障害発生の報知を行う。
【０１０１】
時刻Ｔ６において、ホストコンピュータ８６から映像信号の出力が停止された場合、障害発生状態中であるため、待機状態へ移行することなく、障害発生状態を維持する。
【０１０２】
時刻Ｔ７において、ホストコンピュータ８６から映像信号の出力が再開された場合、時刻Ｔ６と同様に、障害発生状態中であるため、レーザーダイオード２６の発光制御をすることなく、障害発生状態を維持する。
【０１０３】
時刻Ｔ８において、ホストコンピュータ８６が停止すると、5V Power信号がローレベルとなり、内部スイッチ３８Ａが非導通状態となる。これにより、送信モジュール１２及び受信モジュール１４の各々に外部電源より電源供給が遮断され、動作が停止される。
【０１０４】
なお、上記障害発生状態においては、使用者が原因を究明かつ取り除いた場合には、早期の復帰が望まれる。そこで、本実施の形態では、図示しないリセットスイッチの押圧によるリセット信号の入力によって、障害発生状態を解除することができる。すなわち、リセットスイッチの押圧により障害発生表示を解除すると同時に、待機状態におけるレーザーダイオード２６を一時的に強制発光する機能を付加する。これによって、リセットスイッチの押圧により、待機状態時に、ＴＭＤＳ信号検知部１００において映像信号の出力が開始された場合と同等の効果を付加することができる。
【０１０５】
このように、本実施の形態の光伝送装置１０では、光伝送装置１０に外部電源が接続されていても、ホストコンピュータ８６の電源投入に連動して光伝送装置１０の各モジュール（送信モジュール１２と受信モジュール１４）に電力が供給されるため、光源（レーザーダイオード２６）の無駄な劣化を防ぐと共に、無用な消費電力の使用を抑制できる。
【０１０６】
また、映像信号の検知を受信モジュール１４（レシーバー）と送信モジュール１２（トランシーバー）の双方で行うので、光ファイバケーブル７２の切断などの障害発生を的確に判断してレーザー光を直ちに停止することができる。
【０１０７】
さらに正常動作中にホストコンピュータ８６側が映像信号を出力していない状態から信号を再開しても、障害発生とは認識せず伝送を再開することができる。
【０１０８】
ここで、本実施の形態の信号伝送装置の提供によって、レーザー光の安全性を確保しつつ省電力化を実現できる点についてさらに説明する。
【０１０９】
図１３に示すように、半導レーザーには、ダイオードの順方向に流す電流と発光量とに関係がある。この関係から、ある閾値電流Ｉthを超えたところからレーザー発光が開始し、電流増加と共に光量も増加することが理解できる。電気−光変換によって電気信号（デジタル伝送信号）の「１」をハイレベルの光量に、電気信号の「０」をローレベルの光量に割り当てる場合、ローレベル時の駆動電流を閾値電流Ｉth以下にすると、光量の立上りに遅延が生じて、パルス幅の歪や信号のジッタの原因となる。
【０１１０】
そこで、半導体レーザーの一般的な駆動方法は、常にＤＣ成分としてバイアス電流Ｉｂを与え、デジタル伝送信号が「１」の場合はバイアス電流に変調電流Ｉｍの半分の電流を加え、デジタル伝送信号が「０」の場合はバイアス電流から変調電流Ｉｍの半分を減算する。このようにすることで、信号伝送状態の半導体レーザーからの光は、（Ｉｂ＋Ｉｍ／２）が印加されたときのハイレベル光量と、（Ｉｂ−Ｉｍ／２）が印加されたときのローレベル光量のいずれかの状態を取る。なおこのとき、ローレベルの駆動電流が閾値電流を下回らないように、Ｉｔｈ≦（Ｉｂ−Ｉｍ／２）の関係を満たすように駆動条件を設定する。
【０１１１】
映像情報が電気−光変換手段に加わる時は、電気信号はデジタルレベルの「０」か「１」を取るのでハイレベルかローレベルの発光をする。ところが、映像情報が無い時は変調電流がなくなり、半導体レーザーはバイアス電流Ｉｂでのみ発光する。これをバイアス発光と呼ぶ。ちなみに、このバイアス発光の光量とハイレベル光量とローレベル光量の中間値（平均光量）はほぼ等しくなる。すなわち、たとえ映像情報がホストから送られてこなくても、レーザーの単位時間あたりの平均発光量が小さくなることはなく、半導体レーザーに流れる単位時間あたりの平均駆動電流も映像情報伝送時と変わらない。従って、映像情報信号の有無に関わらず、半導体レーザーで消費される電流は一定となる。
【０１１２】
例えば、ホストとモニタが正常接続状態においてホストの起動に応じて電源を投入する技術（例えば特許文献３）では、ホストの電源が入っている時は、映像情報の有無に関わらず、半導体レーザーはほぼ一定の発光を行うことになる。従って、ファイバ等の伝送路に障害が無く外部に光が漏洩しない場合は、レーザーの安全性を確保できるものの、消費電力の低減は望めない。
【０１１３】
一方、本発明の実施の形態によれば信号伝送とは関係ない無信号時のバイアス発光を止めることが可能になるので、伝送装置の無駄な消費電流を抑えることが可能になる。また半導体レーザーの寿命を延ばす効果も期待できる。
【０１１４】
なお、本実施形態では、映像信号を送信する場合を説明したが、本発明は映像信号のみに限定するものではなく、音声信号や他の信号に適用することができ、信号の種類に限定されない。
【０１１５】
また、本実施形態では、複数の光信号を授受する場合を説明したが、本発明は複数に限定されるものではなく、１つのみの光信号でもよい。
〔第２実施の形態〕
次に、本発明の第２実施の形態を詳細に説明する。本実施の形態は、受信モジュール１４についてさらに消費電力を低減するためのものである。なお、本実施の形態は、上記実施の形態とほど同様の構成のため、同一部分には同一符号を付して詳細な説明を省略し、以下異なる部分を説明する。
【０１１６】
（送信モジュールの電気的構成）
図１４には、本実施の形態における送信モジュール１２の電気的な概略構成を示した。図４との差異は、外部電源４３の電源供給がなされたときに電源供給状態を表す信号として利用されるTx 5V信号を出力する状態出力回路１３０を追加した点である。詳細は後述するが、状態出力回路１３０は入力側に電源供給を検出するための電源線３９及び電気−光変換回路３６Ａ〜３６Ｄに接続されている。また出力側は、Tx 5V信号の出力端に接続される。
【０１１７】
（電気−光変換回路の電気的構成）
図１５は状態出力回路１３０の説明図であり、（Ａ）は状態出力回路１３０の周辺の主要な機能部分、（Ｂ）は動作状態を示した。図１５（Ａ）では、電気−光変換回路３６を構成する部分のうち状態出力回路１３０に関係する部分（ＴＭＤＳ信号検知部１００，レーザー停止制御部１０２）を示した。
【０１１８】
図１５（Ａ）に示すように、電気−光変換回路３６を構成するレーザー停止制御部１０２の入力側には、ＴＭＤＳ信号検知部１００の出力側、及びＬＯＰ信号を出力するバッファ２９の出力側が接続されている。本実施の形態では、レーザーダイオード２６の停止制御を行うレーザー停止制御部１０２は、ＴＭＤＳ信号検知部１００からの信号と受信モジュール１４からの受信状態信号（ＬＯＰ信号）により受信モジュール１４を強制的に停止（電源供給を遮断）させるための信号（Rx Shutdown Signal、以下、停止信号ＲｘＳＤという）を、状態出力回路１３０へ出力する構成としている。
【０１１９】
本実施の形態では、状態出力回路１３０は、論理積を演算するＡＮＤ素子１３２とプルダウン抵抗１３４から構成されている。ＡＮＤ素子１３２の入力側は、レーザー停止制御部１０２の出力側、すなわち停止信号ＲｘＳＤの出力端に接続されると共に、電源線３９に接続されている。ＡＮＤ素子１３２の入力側と電源線３９との間は、プルダウン抵抗１３４を介して接地されている。そして、ＡＮＤ素子１３２の出力側は、Tx 5V信号の出力端に接続されている。
【０１２０】
図１５（Ｂ）に示すように、レーザー停止制御部１０２の動作は、ＴＭＤＳ信号検知部１００の出力信号と、ＬＯＰ信号の状態により決定される。ＴＭＤＳ信号検知部１００の出力信号は、映像信号であるＴＭＤＳ信号の検知／非検知によりローレベルかハイレベルになる。また、ＬＯＰ信号は、光信号が到達か否かによりローレベルかハイレベルになる。これらの結果、停止信号ＲｘＳＤは、映像信号なしのときローレベル、映像信号の伝送を開始したときハイレベル、映像信号を正常に伝送しているときハイレベル、伝送不良（伝送障害あり）のときローレベルになる。
【０１２１】
従って、レーザー停止制御部１０２は、ＴＭＤＳ信号（映像信号）を受け取っていない状態では停止信号ＲｘＳＤをローレベルにする。受け取った状態ではハイレベルに遷移する。このとき、予め定めた一定時間だけＬＯＰ信号は無視する。
【０１２２】
また、ＴＭＤＳ信号（映像信号）を受け取ってかつＬＯＰ信号もハイレベルのときはハイレベルにする。この状態からＬＯＰ信号がローレベルに遷移すると（レーザダイオード２６を停止させると同時に）発光停止信号ＲｘＳＤもローレベルにする。
【０１２３】
上記予め定めた一定時間とは、伝送待機状態から正常状態（映像信号が伝送されてＬＯＰ信号がハイレベルになっている）に遷移するのに十分な時間以上、レーザー安全の規定で、万一光が漏れた時に、レーザー光を停止させなければならない時間以下とする。
【０１２４】
このように、本実施の形態ではレーザー停止制御部１０２から停止信号ＲｘＳＤを出力すると共に、内部スイッチ３８Ａからの電力供給状態すなわち電源線３９の状態との論理積をＡＮＤ素子１３２で取り、そのＡＮＤ素子１３２の出力信号をTx5V信号の出力としてメタルケーブル７８を介して受信モジュール１４へ伝送している。従って、論理積の結果がハイレベルのときに受信モジュール１４は電源を供給し、ローレベルのときは電源供給を停止することになる。
【０１２５】
（作用）
次に、本実施の形態の作用を説明する。なお、ここでは、光伝送装置１０の待機状態と動作状態との各々について説明する。図１６には、光伝送装置１０の待機状態における動作の流れを示し、図１７には、光伝送装置１０の動作状態における動作の流れを示した。
【０１２６】
図１６に示す光伝送装置１０の待機状態における流れは、図８に示す流れと同様であり、異なる部分は、ステップ２１４のレーザーダイオード２６の発光を停止する処理について、受信モジュール１４の電力供給停止を促す処理を追加したステップ２１５に変更した点である。
【０１２７】
これによって、待機状態では、何らかの障害があると認識したとき安全のためにレーザーダイオード２６の発光を停止すると共に、受信モジュール１４の電力供給停止を促す信号を出力する。
【０１２８】
図１７に示す光伝送装置１０の動作状態における流れは、図９に示す流れと同様であり、異なる部分は、ステップ２３２のレーザーダイオード２６の発光を停止するべくレーザーダイオードドライバ１０６を制御する処理について、受信モジュール１４の電力供給停止を促す処理を追加したステップ２３３に変更した点である。
【０１２９】
このように本実施の形態では、ホストから映像情報信号が出力されてこないときに、送信モジュール１２へ受信モジュール１４からフィードバックされるＬＯＰ信号にしたがって送信モジュール１２のレーザダイオード２６の発光を停止できるので、消費電力を低減することができる。そして、待機状態において通常動作を継続している受信モジュール１４について、本実施の形態では、送信モジュール１２側から電源を制御する信号を出力しているので、必要最小限度の電力消費を実施することが可能となり、さらに消費電流を低減することが可能になる。
【符号の説明】
【０１３０】
１０    光伝送装置
１２    送信モジュール
１４    受信モジュール
１８    電気−光変換回路基板
２０    電気信号送信回路基板
２９    バッファ
３７    リセット入力端
３８    電源回路
３８Ａ  内部スイッチ
３９    電源線
４０Ａ  バッファ回路
４３    外部電源
４８    光−電気変換回路基板
５０    電気信号受信回路基板
５６    映像信号ケーブル
５７    ＯＲ素子
６４    光−電気変換回路
６６    電源回路
６６Ａ  内部スイッチ
６７    電源線
６８    電気信号受信回路
６８Ａ  バッファ回路
７１    ＤＶＩケーブル
７２    光ファイバケーブル
７８    メタルケーブル
８３    外部電源
８６    ホストコンピュータ
８８    モニタ
１００    ＴＭＤＳ信号検知部
１０２    レーザー停止制御部
１０４    レーザー光量制御部
１０６    レーザーダイオードドライバ
１０８    プルダウン抵抗
１２０    プリアンプ
１２４    光量モニタ信号検知部
【図１】
2010246147.tif 000003
【図２】
2010246147.tif 000004
【図３】
2010246147.tif 000005
【図４】
2010246147.tif 000006
【図５】
2010246147.tif 000007
【図６】
2010246147.tif 000008
【図７】
2010246147.tif 000009
【図８】
2010246147.tif 000010
【図９】
2010246147.tif 000011
【図１０】
2010246147.tif 000012
【図１１】
2010246147.tif 000013
【図１２】
2010246147.tif 000014
【図１３】
2010246147.tif 000015
【図１４】
2010246147.tif 000016
【図１５】
2010246147.tif 000017
【図１６】
2010246147.tif 000018
【図１７】
2010246147.tif 000019